(57)【要約】【課題】容易にかつ確実に適量の化粧料を塗布面に供給することができる化粧用容器を提供する。【解決手段】化粧用容器１０は、容器２０の内部に化粧料ｅが収納される容器２０と、開口部２３に装着されたポンプ部３０と、ポンプ部３０によって供給された化粧料ｅを塗布するための塗布具５０とを備える。ポンプ部３０は、上方に付勢された押下ヘッド部３２と押下ヘッド部３２の上下動により、容器２０に収納されている化粧料ｅを吸い上げることができるシリンダ筒部３１とを有する。塗布具５０は、指ｆの腹面の一部のみと接触する押下面５２を有し、指ｆによって押下ヘッド部３２を上下動させるように、押下ヘッド部３２に取り付けられた押下部、唇に接触可能な塗布面５４、及び、押下ヘッド部３２の上下動によってシリンダ筒部３１によって吸い上げられた化粧料ｅを塗布面５４に供給する流路部６０を有する。【選択図】図４
2012143355.tif 000002
【特許請求の範囲】
【請求項１】
開口部を有する容器であって前記容器の内部に化粧料が収納される容器と、
前記開口部に装着されたポンプ部であって、
上方に付勢された押下ヘッド部と前記押下ヘッド部の上下動により、前記容器に収納されている化粧料を吸い上げることができるシリンダ筒部とを有するポンプ部と、
指の腹面の一部のみと接触する押下面を有し、前記指によって前記押下ヘッド部を上下動させるように、前記押下ヘッド部に取り付けられた押下部、被塗布面に接触可能な塗布面、及び、前記押下ヘッド部の上下動によって前記シリンダ筒部によって吸い上げられた化粧料を前記塗布面に供給する流路部を有する塗布具と、を備える、化粧用容器。
【請求項２】
前記塗布具は、前記押下ヘッド部が上下動する上下方向に直角の方向に延び、前記塗布具を横切る溝部を有し、
前記押下面は、前記溝部の一部である、請求項１に記載の化粧用容器。
【請求項３】
前記塗布面は、前記塗布面の所定の箇所に開口する吐出開口を有し、
前記流路部は、吸い上げられた化粧料を、前記吐出開口を介して、前記塗布面に供給する、請求項１又は２に記載の化粧用容器。
【請求項４】
前記塗布面には、前記流路部から吐出された化粧料が溜まるように、前記吐出開口から前記押下ヘッド部が上下動する上下方向に延びる液だめ溝が形成されている、請求項３に記載の化粧用容器。
【請求項５】
前記塗布面は、前記塗布具の、前記押下面とは反対側に形成されている、請求項１から４のいずれかに記載の化粧用容器。
【請求項６】
前記押下部、前記塗布面及び前記流路部は、互いに一体的に形成されている、請求項１から５のいずれかに記載の化粧用容器。
【請求項７】
前記塗布面は、前記押下部が前記塗布面に対して上下動するように、前記開口部に取り付けられている、請求項１から５のいずれかに記載の化粧用容器。
【請求項８】
前記塗布面は透過性材料で形成されている、請求項１から７のいずれかに記載の化粧用容器。
【請求項９】
前記塗布面は曲面を有する、請求項１から８のいずれかに記載の化粧用容器。
【発明の詳細な説明】
【技術分野】
【０００１】
本発明は、化粧用容器に関する。
【背景技術】
【０００２】
一般に、唇等の被塗布部に塗布する化粧用容器としては、粘性化粧料を収納する容器と、容器内において収納位置（下側）と最大突出位置（上側）との間を移動可能に配置された中皿と、容器の端部に設けられた化粧料の吐出量を調整するための回転体と、回転体の回転に応じて中皿を上下方向に移動させる上下動機構と、容器の先端に形成された分配口とを備えた回転タイプの化粧用容器が知られている（例えば、特許文献１、２参照）。そのような回転タイプの化粧用容器は、回転体を左右に回転させることにより、中皿が上下動機構によって容器内を上下して、粘性化粧料を分配口から吐出し、かつ戻すことが可能であるとしている。
【０００３】
そのような回転タイプの化粧用容器の利用者は、化粧料を利用者の唇に塗布する毎に、容器と回転体とを互いに相対的に回転させる回転操作を行うことによって、収納位置にある中皿を上方向（分配口側）に移動させて、分配口から吐出する化粧料の突出量を調整する。
しかし、中皿は、容器内において収納位置と最大突出位置との間を移動可能に容器内に設けられているにすぎないので、利用者が化粧料の突出量を十分に微調整することは難しい。
【０００４】
また、利用者が化粧料の塗布作業をしている最中に、分配口からの化粧料の突出量が少なくなると、利用者は、化粧料の塗布作業を中断して、分配口からの化粧料の突出量が多くなるように、容器と回転体とを互いに相対的に回転させる必要がある。このため、利用者は、化粧料の塗布作業をしている最中に、化粧用容器を持つ位置を変えなければならないことがある。
【０００５】
そこで、化粧料が収納された容器と、容器の内部に収納された化粧料を塗布面に供給する流路部を有する塗布具とを備えた化粧用容器が知られている（例えば、特許文献３参照）。
この塗布具は、図１３及び図１４に示すように、容器の開口部を塗布具１１０の装着口１１４に圧入して装着してから使用される。
利用者は、まず、容器の内部に収納された化粧料が装着口１１４及び流路１１５を介して塗布面１１１の中央に形成された吐出口１１２から出るように、容器の側面を押圧する。
次に、利用者は、適量が絞り出されたところで、容器を利用者の手のひらの内側に保持しつつ、指先（通常は、人差し指）を支持面１１３にあてがう。利用者は、塗布面１１１に絞り出された化粧料を、塗布面１１１を指先の替わりとして用いて、利用者の唇のような被塗布面に塗り広げる。このとき、利用者は、支持面１１３の凹曲面に指先の腹面がフィットするので、高い安定度で塗布をスムーズに行うことができるとされている。
【先行技術文献】
【特許文献】
【０００６】
【特許文献１】特開２００５−１６８７４５号公報
【特許文献２】特開２００７−１３７８２７号公報
【特許文献３】特許４１７５６６１号公報
【発明の概要】
【発明が解決しようとする課題】
【０００７】
しかし、特許文献３に記載の塗布具１１０を備えた化粧用容器は、所望の量の化粧料を塗布面１１１に絞り出すために必要な、容器の側面を押圧する押圧力を調整することが難しい構造を有するので、利用者が側面を押圧する毎に、適量の化粧料が塗布面１１１に絞り出されたか否かを目視で確認する必要がある。
また、塗布具１１０を備えた化粧用容器は利用者の指先の腹面を収容可能な曲面を有する支持面１１３を備えているので、支持面１１３の形状が利用者の指先の腹面にフィットしない場合、利用者は、高い安定度でかつスムーズに塗布を行うことが難しい。
【０００８】
本発明の課題は、容易にかつ確実に適量の化粧料を塗布面に供給することができる化粧用容器を提供することにある。
【課題を解決するための手段】
【０００９】
本発明に係る化粧用容器は、開口部を有する容器であって前記容器の内部に化粧料が収納される容器と、前記開口部に装着されたポンプ部であって、上方に付勢された押下ヘッド部と前記押下ヘッド部の上下動により、前記容器に収納されている化粧料を吸い上げることができるシリンダ筒部とを有するポンプ部と、指の腹面の一部のみと接触する押下面を有し、前記指によって前記押下ヘッド部を上下動させるように、前記押下ヘッド部に取り付けられた押下部、被塗布面に接触可能な塗布面、及び、前記押下ヘッド部の上下動によって前記シリンダ筒部によって吸い上げられた化粧料を前記塗布面に供給する流路部を有する塗布具と、を備える。
【発明の効果】
【００１０】
本発明によれば、容易にかつ確実に適量の化粧料を塗布面に供給することができる化粧用容器を提供することができる。
【図面の簡単な説明】
【００１１】
【図１】本発明に係る化粧用容器の第１実施形態の一部を省略した正面図である。
【図２】図１に示した化粧用容器の塗布具の斜視図である。
【図３】図１に示した化粧用容器の一部を省略した上面図である。
【図４】図１に示した化粧用容器の使用状態を説明する断面図である。
【図５】図１に示した化粧用容器の使用状態を説明する斜視図である。
【図６】図１に示した化粧用容器の別の使用状態を説明する斜視図である。
【図７】本発明に係る化粧用容器の第２実施形態の断面図である。
【図８】本発明に係る化粧用容器の第３実施形態の断面図である。
【図９】本発明に係る化粧用容器の第４実施形態の断面図である。
【図１０】本発明に係る化粧用容器の他の実施形態の塗布具の斜視図である。
【図１１】本発明に係る化粧用容器のさらに他の実施形態の塗布具の斜視図である。
【図１２】本発明に係る化粧用容器のさらに他の実施形態の塗布具の斜視図である。
【図１３】従来の化粧用容器の塗布具の一例を示す斜視図である。
【図１４】図１３に示す化粧用容器の塗布具の断面図である。
【発明を実施するための形態】
【００１２】
以下に、本発明の実施形態を図面に基づいて詳細に説明する。
（第１実施形態）
図１から図６を参照して、本発明に係る第１実施形態の化粧用容器１０の説明をする。
図１に示すように、化粧用容器１０は、容器２０と、容器２０の内部の化粧料ｅ（図４参照）を供給するポンプ部３０と、ポンプ部３０を容器２０に取り付けるキャップ部４０と、ポンプ部３０によって供給された化粧料ｅを塗布するための塗布具５０と、塗布具５０を取り外し可能に覆うカバー部７０とを備える。以下の化粧用容器１０の説明では、ポンプ部３０の押下ヘッド部３２がシリンダ筒部３１に対して上下動する方向を上下方向Ｘとする。
【００１３】
容器２０は、化粧料ｅを収納することができるように、円筒部２１と、円筒部２１の一端に形成された底部２４と、円筒部２１の他端に形成された開口部２３とを有する。
円筒部２１の内周面２２は、円盤形状の中皿２７が内周面２２内を摺動することができるような円筒側面形状を有する。
底部２４には、円筒部２１の内周面２２と中皿２７と底部２４とにより形成される空間に容器２０の外部の空気が通る空気抜き穴２５が形成されている。このため、中皿２７が内周面２２内を上下方向Ｘに摺動すると、空気は、空気抜き穴２５を介してその空間に入ったり、その空間から出たりする。
開口部２３は円筒形状を有する。開口部２３の内周面２３ａは、円筒部２１の内周面２２につながっている。開口部２３の外周面には、キャップ部４０と螺合するネジ部２６が形成されている。
【００１４】
ポンプ部３０の種類は、容器２０の内部に収納されている化粧料ｅを吸い上げることができれば、特に限定されるものではない。ポンプ部３０の種類は、例えば、高粘度の化粧料をワンプッシュで吐出するという観点からは、高粘度ポンプシステム（Ｈｉｇｈ  Ｖｉｓｃｏｓｉｔｙ  Ｄｉｓｐｅｎｓｅｒ）であることが好ましい。ポンプ部３０は、キャップ部４０を介して容器２０の開口部２３に取り付けられる円筒形状のシリンダ筒部３１と、シリンダ筒部３１の内側に配置された圧縮コイルバネ３３と、シリンダ筒部３１の内部に挿通された押下ヘッド部３２とを有する。
シリンダ筒部３１の一端には、容器２０の内部に充填された化粧料ｅを吸い込むための吸い込み口３４が形成されている。
【００１５】
押下ヘッド部３２は、円筒形状を有し、圧縮コイルバネ３３によって上下方向Ｘにおいて容器２０から離れる方向に付勢された状態でシリンダ筒部３１に差し込まれている。押下ヘッド部３２は、圧縮コイルバネ３３によって付勢された状態で、ストロークＳ（図４参照）だけ上下方向Ｘに上下動できるように、シリンダ筒部３１に差し込まれている。押下ヘッド部３２の端部には、押下ヘッド部３２の上下動によって、シリンダ筒部３１の吸い込み口３４から吸い込まれた化粧料ｅが吐き出される吐出口３５が形成されている。
【００１６】
キャップ部４０は、円筒本体部４１ａと、円筒本体部４１ａの外径よりも小さい外径を有する円筒本体部４１ｂとを有する。
円筒本体部４１ａにおいて、ポンプ部３０側の端部には、凹部４２が形成されている。凹部４２の側面には、開口部２３のネジ部２６と螺合するネジ溝部４２ａが形成されている。凹部４２の底面５２ｂには、凹部４２のネジ溝部４２ａと開口部２３のネジ部２６とが螺合した状態において、開口部２３の開口と凹部４２の底部とが密閉状態になるように、リング状のシール４９が配置されている。凹部４２の底部には、ポンプ部３０のシリンダ筒部３１の端部が堅固に取り付けられている。
円筒本体部４１ｂにおいて、ポンプ部３０側とは反対側の端部には、凹部４４が形成されている。凹部４４の底部の中心には、円筒本体部４１ａの凹部４２の底部に開口する、上下方向Ｘに延びる貫通孔４３が形成されている。貫通孔４３には、押下ヘッド部３２の端部が挿通されている。円筒本体部４１ｂの凹部４４は、塗布具５０の端部に形成された鍔部５７の外径よりも大きい開口を有する。
【００１７】
図１及び図２に示すように、塗布具５０は、円筒形状の本体部５１と、本体部５１の一端部に一体的に形成された鍔部５７と、本体部５１の一端部に形成された押下ヘッド部３２の端部が嵌入される嵌入穴５６と、本体部５１の他端部に形成された溝部５３と、本体部５１の他端部において、溝部５３とは反対側に形成された塗布面５４と、本体部５１の内部に形成され、嵌入穴５６に連通し、塗布面５４に開口している吐出開口５５ａを有する貫通孔５５からなる流路部６０とを備える。
図３に示すように、本体部５１の外径は、円筒本体部４１ｂの外径よりも小さい。本体部５１の外径は、一般的な利用者の人差し指ｆの幅よりも小さいことが好ましい。
【００１８】
図１に示すように、溝部５３は、一対の側面（一対の側面のうちポンプ部３０側と反対側は側面５２ａ）と底面５２ｂにより形成され、上下方向Ｘに対して直角の方向（図１において紙面に直角の方向）に延びている。図４に示すように、一対の側面の間隔は、利用者の人差し指ｆの指先が挿入可能な寸法であることが好ましい。一対の側面のうちポンプ部３０側の側面は、人差し指ｆ（図５参照）の腹面の一部のみと接触する押下面５２とされる。したがって、本体部５１は、押下ヘッド部３２に取り付けられた押下部の機能を有する。
溝部５３は、利用者の人差し指ｆの先端が接触する底面５２ｂを有するので、利用者は、人差し指ｆの先端を溝部５３の底面５２ｂに当てることにより、人差し指ｆを容易にかつ確実に押下面５２に位置することができる。
【００１９】
図２に示すように、塗布面５４は、本体部５１に形成されており、また、塗布具５０の本体部５１において押下面５２（溝部５３）とは反対側に形成されている。塗布面５４は、利用者の唇ｇ（図５参照）のような被塗布面に接触可能な外側に凸の曲面状に形成されている。曲面状の塗布面５４の中央には、流路部６０を構成する貫通孔５５の吐出開口５５ａが形成されている。塗布面５４は、利用者が手鏡等を介して、化粧料ｅ１が唇ｇに付着している状態を視認できるように、透明度の高い透過性材料で形成されていることが好ましい。
【００２０】
図１に示すように、流路部６０は本実施形態では貫通孔５５のみで構成されている。貫通孔５５は、押下ヘッド部３２の上下動によってシリンダ筒部３１によって吸い上げられた化粧料を塗布面５４に供給するように、本体部５１の内部に形成されている。したがって、本実施形態では、塗布具５０は、本体部５１の一部である押下部、塗布面５４及び流路部６０は、互いに一体的に形成されているので、押下部、塗布面５４及び流路部６０を一体成形によって容易に製造することができる。
【００２１】
カバー部７０は、塗布具５０を収納可能な大きさの内周面７２を有する円筒形状の本体部７１と本体部７１の一端部に一体的に形成された端面部７３とを有する。本体部７１の他端部は、キャップ部４０の円筒本体部４１ｂの外周面に嵌入可能な開口とされている。したがって、本体部７１の内周面７２が塗布具５０の塗布面５４に非接触状態となるように、かつ、塗布具５０の塗布面５４にゴミ等が付着しないように、本体部７１の他端部をキャップ部４０の円筒本体部４１ｂの外周面に嵌入することができる。
【００２２】
以上の化粧用容器１０は、以下のようにして用いられる。
図４に示すように、容器２０の内部には化粧料ｅが充填される。化粧料ｅは、ポンプ部３０のシリンダ筒部３１の吸い込み口３４に達するように、円筒部２１の内周面２２において、中皿２７よりも、ポンプ部３０側に充填される。
【００２３】
図５に示すように、利用者は、カバー部７０をキャップ部４０から取り外し、塗布具５０の塗布面５４を露出させる。次に、利用者は、例えば、人差し指以外の指で容器２０を保持しつつ、人差し指ｆの腹面の一部が押下面５２に接触するように、人差し指ｆの先端を溝部５３に差し込む。このとき、人差し指ｆの先端は、溝部５３の底面５２ｂに接触していてもよい。
本体部５１の押下面５２は、溝部５３においてポンプ部３０側の側面なので、押下面５２は、上下方向Ｘに対して概ね直角の方向に向いている。したがって、人差し指ｆの腹面は、人差し指ｆが本体部５１すなわち押下部（押下面５２）を押しやすいように、上下方向Ｘに対して直角の方向に向く。
【００２４】
また、本体部５１には、溝部５３の底面５２ｂの周囲を完全に囲む壁が形成されていないので、本体部５１の外径が人差し指ｆの幅よりも小さくても、図３に示すように、人差し指ｆの先端の両端が溝部５３からはみ出る。このため、人差し指ｆの先端が溝部５３に確実に差し込むことができる。
また、人差し指ｆの爪に付け爪等を施している場合は、図６に示すように、人差し指ｆの第１関節と爪との間を溝部５３に差し込むことができる。
【００２５】
図４に示すように、利用者は、押下面５２が上下方向Ｘに上下動するように、押下面５２を何度も押すことができる。これにより、押下ヘッド部３２が上下方向Ｘにおいて上下動され、シリンダ筒部３１が容器２０に充填されている化粧料ｅを吸い込み、吸い込んだ化粧料ｅは、吐出口３５及び流路部６０を構成する貫通孔５５を介して、吐出開口５５ａから塗布面５４に吐出される。塗布面５４に吐出された化粧料ｅ１は、塗布面５４において吐出開口５５ａ及びその周囲に付着する。このとき、塗布面５４と押下面５２とが一体的に形成されているので、塗布面５４は、押下面５２と共に上下方向Ｘに上下動する。
【００２６】
図５に示すように、利用者は、容器２０を人差し指ｆ以外の指でしっかり押さえつつ、人差し指ｆの腹面が押下面５２に接触している状態を維持しながら、塗布面５４を唇ｇに接触させて、塗布面５４に付着した化粧料ｅ１を唇ｇに塗る。つまり、塗布具５０の後側に人差し指ｆが常に位置しているので、人差し指ｆで塗布面５４を正確に唇ｇの所望の位置に向けることができる。このように、塗布具５０において塗布面５４とは反対側に人差し指ｆが常に位置している状態で唇ｇに化粧料ｅ１を塗る塗り方と、利用者が従来使用している回転タイプの化粧用容器を用いた塗り方とが同じであるので、利用者は、化粧用容器１０を従来の回転タイプの化粧用容器と同様に、唇ｇに化粧料ｅ１を塗布することができる。
【００２７】
化粧用容器１０はポンプ部３０を備えているので、化粧料ｅが高粘度の内容物であっても、塗布具５０の一部である押下部を上下方向Ｘに上下動させるだけで、容器２０の内部に充填された化粧料ｅは、ポンプ部３０の作動により、ほぼ確実に塗布面５４に供給される。
【００２８】
利用者が塗布面５４に化粧料ｅ１を補充する場合、利用者は、容器２０を持ち替えることなく、押下面５２がポンプ部３０側に移動するように、人差し指ｆを曲げて、押下面５２を押下するだけでよい。つまり、片手で化粧料ｅを塗布面５４に補充することができる。このため、化粧用容器１０を持っている手とは反対の手に、例えば、手鏡を持ったまま、塗布面５４に化粧料ｅを補充することができる。
【００２９】
シリンダ筒部３１に対する押下ヘッド部３２の変位量はストロークＳと定まっているので、利用者が押下面５２を一回押下することにより、塗布面５４に吐出される化粧料ｅ１の量は、略一定となる。このため、利用者は、塗布面５４に補充された化粧料ｅ１の量を確認しなくてもよい。
【００３０】
容器２０に充填されている化粧料ｅがポンプ部３０によって吸い込み口３４から吸い込まれると、容器２０に充填されている化粧料ｅの量が減るので、中皿２７が容器２０の内周面２２を摺動しながらポンプ部３０側に移動する。このため、中皿２７は、容器２０に充填されている化粧料ｅが少量になっても、化粧料ｅがポンプ部３０の吸い込み口３４の周囲に集まっているので、化粧料ｅが容器２０内に残る量は少ない。また、容器２０内の化粧料ｅをポンプ部３０によって吸い込んでいるので、容器２０内の化粧料ｅの多くを効率よく塗布面５４に供給することができる。
【００３１】
（第２実施形態）
図７を参照して、本発明に係る第２実施形態の化粧用容器１０ａの説明をする。第２実施形態の化粧用容器１０ａでは、第１実施形態の化粧用容器１０と同一の構成については、同じ符号を付してその説明を省略する。
【００３２】
図７に示すように、キャップ部４０ａは、円筒本体部４１ｂの円周側面の一部から、ポンプ部３０とは反対方向に延在しているリブ部６３を有する。
リブ部６３の先端は、利用者の唇ｇになめらかに接触する塗布面６４が形成されている。リブ部６３において、塗布面６４とは反対側に凹面状の側面６６が形成されている。また、塗布面６４は外側に凸状の曲面を有している。
【００３３】
塗布面６４の中央には、上下方向Ｘに延びるスリット６５が形成されている。スリット６５の位置は、第１実施形態の吐出開口５５ａと略同じ位置であることが好ましい。
【００３４】
塗布具５０ａは、本体部５１の端部に形成されている溝部５３の一対の側面のうち押下面５２とは反対側の側面（第１実施形態の側面５２ａ）が省略されている。本実施形態では、上下方向Ｘに直角の方向に延び、塗布具５０ａを横切る溝部５３ａは、押下面５２と側面６６と底面５２ｂとによって形成されている。
また、本体部５１に形成された貫通孔５５の端部には、吐出パイプ５５ｂが嵌入されている。吐出パイプ５５ｂの外径は、吐出パイプ５５ｂの先端がスリット６５内に位置し、また、吐出パイプ５５ｂの先端がスリット６５内を上下方向Ｘに移動できるように、スリット６５の幅より小さくされている。吐出パイプ５５ｂの先端は、塗布面６４の近傍に位置しているので、吐出開口として機能し、貫通孔５５及び吐出パイプ５５ｂは、流路部６０を構成する。また、吐出パイプ５５ｂは、押下面５２の押下に伴って、上下方向Ｘに上下動する。
【００３５】
以上の化粧用容器１０ａの本体部５１は、押下ヘッド部３２に取り付けられており、また、押下ヘッド部３２を上下方向Ｘに上下動させるように、押下面５２の押下に伴ってリブ部６３に対して上下動する。したがって、本体部５１は、押下部として機能する。
また、塗布面６４は、押下部の一部を構成する押下面５２が塗布面６４に対して上下動するように、開口部２３を介して容器２０に取り付けられていることになる。このため、押下面５２が上下動しても、塗布面６４は押下面５２と共に上下動しないので、利用者は、安定して塗布面６４を被塗布面である唇ｇに向けることができる。
【００３６】
化粧用容器１０ａは、塗布面６４と押下面５２とが連動しない構成を有しているので、塗布面６４と押下面５２を構成する押下部とを互いに異なる素材で形成することができる。このため、例えば、塗布面６４が利用者の唇等の肌に接触する際に感じる接触性や、塗布面６４に塗布された化粧料を利用者の唇等の肌に塗る塗り心地性等の使用感を向上させるように、塗布面６４の素材のみをエラストマー等、押下面５２の素材より柔らかい素材で形成することができる。
また、塗布面６４のみに、押下面５２よりも高度な表面加工を容易に施すことが可能である。例えば、図１０に示す塗布面５４ｄの吐出開口５５ａから上下方向Ｘに延びる液だめ溝５５ｄを図７の塗布面６４に形成する作業性を向上させることができる。
【００３７】
（第３実施形態）
図８を参照して、本発明に係る第３実施形態の化粧用容器１０ｂの説明をする。第３実施形態の化粧用容器１０ｂでは、第１実施形態の化粧用容器１０や第２実施形態の化粧用容器１０ａと同一の構成については、同じ符号を付してその説明を省略する。
【００３８】
図８に示すように、キャップ部４０ｂは、円筒本体部４１ｂの円周側面の一部から、ポンプ部３０とは反対方向に延在しているリブ部６３を有する。
リブ部６３の先端は、利用者の唇ｇになめらかに接触するような塗布面６４が形成されている。塗布面６４の中央には、第１実施形態と同じ形状である吐出開口５５ａが形成されている。
塗布具５０ｂの本体部５１に形成された貫通孔５５の端部には、伸び縮みしやすいゴムのような弾性を有する連結チューブ５８が嵌合されている。連結チューブ５８の他方は、リブ部６３に形成された貫通孔６５ｂに嵌入されている。貫通孔６５ｂの塗布面６４側の開口は、吐出開口５５ａとされる。したがって、貫通孔５５、連結チューブ５８及び貫通孔６５ｂは流路部６０を構成する。塗布具５０ｂが上下方向Ｘに上下動して、貫通孔５５の端部と吐出開口５５ａとの間の距離が大きくなっても、連結チューブ５８が弾性変形して伸びるので、連結チューブ５８の両端は、それぞれ、貫通孔５５及び貫通孔６５ｂに接続した状態を維持する。
【００３９】
また、塗布面６４に、図７に示すスリット６５のような隙間が形成されないので、塗布面６４に吐出された化粧料が、塗布面６４とは反対側に凹面状の側面６６に流れ込まない。
また、塗布面６４と押下面５２とは、別体であるので、両者の材質を化粧用容器の用途に応じて互いに異なるものにすることができる。
【００４０】
また、図示はしないが、塗布面６４及び押下面５２の一方の材質を弾性変形可能な程度に柔らかい材質で形成し、その一方に弾性変形可能なチューブ状の接続部を形成し、形成されたチューブ状の接続部を他方に接続させてもよい。このようにすることで、弾性変形可能なチューブ状の接続部を連結チューブ５８の代わりとすることができる。このようにすることにより、化粧用容器の部品数を削減することができる。
【００４１】
以上の化粧用容器１０ｂの本体部５１は、押下ヘッド部３２に取り付けられており、また、押下ヘッド部３２を上下方向Ｘに上下動させるように、押下面５２の押下に伴ってリブ部６３に対して上下動する。したがって、本体部５１は、押下部として機能する。
また、キャップ部４０ｂの塗布面６４は開口部２３を介して容器２０に取り付けられているので、押下面５２が塗布面６４に対して上下動しても、塗布面６４は押下面５２と共に上下動しない。このため、利用者は、安定して塗布面６４を被塗布面である唇ｇに向けることができる。
【００４２】
（第４実施形態）
図９を参照して、本発明に係る第４実施形態の化粧用容器１０ｃの説明をする。第４実施形態の化粧用容器１０ｃでは、第１から第３実施形態の化粧用容器１０、１０ａ、１０ｂと同一の構成については、同じ符号を付してその説明を省略する。
図９に示すように、塗布具５０ｃの本体部５１ａには、リブ部６３の側面６６側に出っ張っている凸部５１ｂが形成されている。凸部５１ｂの頂部には貫通孔５５の端部が開口している。キャップ部４０ｃのリブ部６３の側面６６には、凸部６６ａが、凸部５１ｂと凸部６６ａとが互いの先端が互いに向き合うように、形成されている。凸部６６ａの頂部には、貫通孔６６ｂの一方が開口されている。貫通孔６６ｂの他方は塗布面６４に開口し、その開口は吐出開口５５ａとされている。凸部５１ｂ及び凸部６６ａには、それぞれ、伸び縮みしやすいゴムのような弾性を有する連結チューブ５８ａの両端が、連結チューブ５８ａの両端近傍の内側が凸部５１ｂ及び凸部６６ａの外側に接触するように、嵌合されている。したがって、貫通孔５５、連結チューブ５８ａ及び貫通孔６６ｂは流路部６０を構成する。
塗布具５０ｃが上下方向Ｘに上下動して、凸部５１ｂと凸部６６ａとの間の距離が大きくなっても、連結チューブ５８ａが弾性変形して伸びるので、連結チューブ５８ａの両端は、それぞれ、貫通孔５５及び貫通孔６６ｂに接続した状態を維持する。
【００４３】
以上の化粧用容器１０ｃの本体部５１ａは、押下ヘッド部３２に取り付けられており、また、押下ヘッド部３２を上下方向Ｘに上下動させるように、押下面５２の押下に伴ってリブ部６３に対して上下動する。したがって、本体部５１ａは、押下部として機能する。
また、キャップ部４０ｃのリブ部６３の塗布面６４は開口部２３を介して容器２０に取り付けられているので、押下面５２が塗布面６４に対して上下動しても、塗布面６４は押下面５２と共に上下動しない。このため、利用者は、安定して塗布面６４を被塗布面である唇ｇに向けることができる。
【００４４】
（他の実施形態）
図１０から図１２を参照して、本発明に係る化粧用容器の他の実施形態の塗布具の説明をする。塗布具の塗布面及び開口部は図１から図９に示す形状には限定されるものではなく、化粧料ｅの種類、性状等に応じて、適宜選択することができる。
図１０に示すように、塗布具５０ｄの塗布面５４ｄは、第１実施形態の塗布具５０の塗布面５４よりも幅が狭い。また、塗布具５０ｄの塗布面５４ｄには、流路部６０から吐出された化粧料ｅが溜まるように、吐出開口５５ａから上下方向Ｘに延びる液だめ溝５５ｄが形成されている。液だめ溝５５ｄは、例えば、吐出開口５５ａから離れるに従って浅くなるテーパー形状を有する。この場合、テーパー形状の吐出開口５５ａは、塗布面５４ｄに付着した化粧料が溜まる液だまり部として機能する。
液だめ溝５５ｄは、図１０に示すように、容器２０（鍔部５７）から離れる側に延びるように形成しているが、容器２０（鍔部５７）に近づく側に延びるように形成してもよいし、容器２０から離れる側及び近づく側に延びるように形成してもよい。
図示はしないが、吐出開口５５ａの形状は、円形状や楕円形状であったり、少しずつ浅くなるようなテーパー形状であったりしてもよい。
容器２０の内部に充填される化粧料ｅがコンシーラーやネイルといった細かい部分に塗布する用途に用いられる化粧料である場合、塗布具の塗布面は、例えば、図１０に示すように、上下方向Ｘに延びる細い形状の塗布面５４ｄとしたり、図１１に示すように、面積が第１実施形態の塗布具５０の塗布面５４よりも小さい塗布面５４ｅとしたりしてもよい。また、図１２に示すように、吐出開口５５ｅの位置を、第１実施形態の塗布具５０の吐出開口５５ａよりも塗布面５４の先端に近い位置に配置してもよい。
容器２０に充填された化粧料ｅの種類に応じて、塗布面５４、６４、５４ｄ、５４ｅには、例えば、フロッキー加工を施してもよい。
【００４５】
以上の説明から明らかなように、化粧用容器はポンプ部を備えているので、化粧料が高粘度の内容物であっても、押下部を上下動させるだけで、ポンプ部の作動により、ほぼ確実に塗布面に供給することができる。したがって、化粧用容器は、容易にかつ確実に適量の化粧料を塗布面に供給することができる。
【００４６】
塗布具は、押下ヘッド部が上下動する上下方向に直角の方向に延び、押下ヘッド部を横切る溝部を有し、押下面は、溝部の一部である場合、押下面は、利用者の指によって押下面を上下動させやすい形状を有することになるので、利用者は、塗布面に化粧料を補充する場合、容器を持ち替えることなく、押下面がポンプ部側に移動するように、人差し指を曲げて、押下面を押下するだけでよい。このため、化粧用容器を持っている手とは反対の手に、例えば、手鏡を持ったまま、塗布面に化粧料を補充することができる。
【００４７】
塗布面は、塗布面の所定の箇所に開口する吐出開口を有し、流路部は、吸い上げられた化粧料を、吐出開口を介して、塗布面に供給するようにした場合、塗布面に吐出された化粧料は、吐出開口及びその周囲に付着するので、利用者は、付着した化粧料を塗布面の全体を用いて、利用者の被塗布面に塗布することができる。
【００４８】
塗布面は、塗布具の、押下面とは反対側に形成されている場合、塗布面は、塗布具を間において、利用者の指がある位置とは反対側に位置する。つまり、利用者は、容器を押下面に接触する指以外の他の指でしっかり押さえつつ、指の腹面が押下面に接触している状態を維持しながら、塗布面を利用者の被塗布面に接触させて、塗布面に付着した化粧料を被塗布面に容易に塗ることができる。
【００４９】
押下部、塗布面及び流路部は、互いに一体的に形成されていてもよいし、塗布面は、押下部が塗布面に対して上下動するように、開口部に取り付けられていてもよい。押下部、塗布面及び流路部が互いに一体的に形成されていれば、押下部、塗布面及び流路部を一体成形によって安価に製造することができる。また、塗布面は、押下部が塗布面に対して上下動するように、開口部に取り付けられていれば、塗布面は開口部を介して容器に取り付けられていることになる。このため、押下部が上下動しても、塗布面は押下部と共に上下動しないので、利用者は、安定して塗布面を被塗布面に向けることができる。
【００５０】
塗布面は透明度の高い透過性材料で形成されていてもよい。この場合、利用者は、塗布面と被塗布面との間の状況を視認することができる。
【００５１】
塗布面は曲面を有するようにしてもよい。これにより、塗布面は利用者にとって被塗布面に塗布しやすい形状となる。
【００５２】
塗布面には、流路部から吐出された化粧料が溜まるように、吐出開口から上下方向に延びる液だめ溝が形成されていてもよい。これにより、流路部から吐出された少量の化粧料は、液だめ溝に溜まり、塗布面からこぼれにくくすることができる。また、この液だめ溝に化粧料を溜めておいて、液だめ溝に溜めておいた化粧料を被塗布面に一旦塗布しその塗布された化粧料を塗布面で広げながら使うこともできる。
【００５３】
塗布具５０、５０ａ、５０ｂ、５０ｃ、５０ｄ、５０ｅ、５０ｆの材質としては、熱可塑性樹脂又は熱硬化性樹脂が挙げられる。熱可塑性樹脂としては、ニトリルゴム、ブチルゴム等の合成ゴム、スチレン−ブタジエン−スチレンブロック共重合体（ＳＢＳ）、スチレン−エチレン−ブタジエン−スチレン（ＳＥＢＳ）等の熱可塑性エラストマー、シリコン、ポリウレタン、ＨＤＰＥ・ＭＤＰＥ・ＬＤＰＥ・ＬＬＤＰＥ等のポリエチレン（ＰＥ）、エチレン−α−オレフィン共重合体、エチレン−酢酸ビニル共重合体（ＥＶＡ）、エチレン−メチルメタクリレート共重合体（ＥＭＭＡ）、ポリプロピレン等のポリオレフィン樹脂、ポリカーボネート樹脂（ＰＣ）、ＰＥＴ・ＰＣＴ・ＰＣＴＡ等のポリエステル樹脂、メタクリル酸エステル重合体等のアクリル樹脂、アクリロニトリル−ブタジエン−スチレン共重合体（ＡＢＳ）、アクリロニトリル−スチレン共重合体（ＡＳ）、ポリアミド樹脂、ポリアセタール樹脂等を使用することができる。熱硬化性樹脂としては、ジアリルフタレート樹脂、不飽和ポリエステル樹脂、フェノール樹脂、エポキシ樹脂、熱硬化性ポリウレタン、アルキッド樹脂、メラミン樹脂、尿素樹脂、熱硬化性ポリイミド樹脂、熱硬化性アクリル樹脂等を使用することができる。
第１実施形態における塗布具５０は、硬すぎず柔らかすぎずという素材が好ましい。この場合、塗布具５０の塗布面５４の近傍の硬さは、塗布面５４の近傍を肉薄にすること等により調節することが好ましい。
第２から４実施形態における塗布面６４や連結チューブ５８、５８ａの材質としては、熱可塑性エラストマーやポリアミド樹脂、シリコン等の柔らかい素材が好適である。塗布具５０ａ、５０ｂ、５０ｃの本体部５１の材質としては、ＡＢＳ、ＰＰ、ＡＳ等の比較的硬めの材質が好ましい。
【産業上の利用可能性】
【００５４】
本発明に係る化粧用容器は、リップグロス、リップエッセンス、美容液、リキッドファンデーション、コンシーラー、ネイルカラー、アイブロウカラー、リキッドチーク、リキッドアイシャドーとして好適に用いられる。特に、本発明に係る化粧用容器は、容易にかつ確実に適量の化粧料を塗布面に供給することができるため、リップグロスやリップエッセンス等唇に塗布する液体化粧料に適用することが好ましい。
【符号の説明】
【００５５】
Ｘ  上下方向
ｅ、ｅ１  化粧料
ｆ  人差し指
ｇ  利用者の唇
１０、１０ａ、１０ｂ、１０ｃ  化粧用容器
２０  容器
２１  円筒部
２３  開口部
２７  中皿
３０  ポンプ部
３１  シリンダ筒部
３２  押下ヘッド部
３３  圧縮コイルバネ
４０、４０ａ、４０ｂ、４０ｃ  キャップ部
５０、５０ａ、５０ｂ、５０ｃ、５０ｄ、５０ｅ、５０ｆ  塗布具
５１、５１ａ  本体部
５２  押下面
５３、５３ａ  溝部
５４、５４ｄ、５４ｅ、６４  塗布面
５５  貫通孔（流路部）
５５ａ、５５ｅ  吐出開口
５５ｂ  吐出パイプ（流路部）
５５ｄ  液だめ溝
５８、５８ａ  連結チューブ（流路部）
６０  流路部
６５ｂ  貫通孔（流路部）
６６ａ  凸部
６６ｂ  貫通孔（流路部）
７０  カバー部
【図１】
2012143355.tif 000003
【図２】
2012143355.tif 000004
【図３】
2012143355.tif 000005
【図４】
2012143355.tif 000006
【図５】
2012143355.tif 000007
【図６】
2012143355.tif 000008
【図７】
2012143355.tif 000009
【図８】
2012143355.tif 000010
【図９】
2012143355.tif 000011
【図１０】
2012143355.tif 000012
【図１１】
2012143355.tif 000013
【図１２】
2012143355.tif 000014
【図１３】
2012143355.tif 000015
【図１４】
2012143355.tif 000016